(57)【特許請求の範囲】
【請求項１】
７つの郵便番号枠を含む郵便番号枠郡の中から、同一サイズの規定枠を検出するとともに、この規定枠と異なるサイズの異枠を検出する第１の検出手段と、
前記第１の検出手段で検出された規定枠の短手方向及び長手方向のサイズを検出する第２の検出手段と、
前記第１の検出手段により規定枠が３個検出され、異枠が１個検出されたとき、前記第２の検出手段で検出された規定枠の短手方向及び長手方向のサイズに基づき、前記第１の検出手段で検出された異枠の長手方向の一端から一つの規定枠を検出する第３の検出手段と、
前記第３の検出手段により検出された一つの規定枠を前記異枠から切り離し、一つの規定枠が切り離された後に残った残存異枠の短手方向の射影を取り、この射影に基づき残存異枠の長手方向の両端を検出する第４の検出手段と、
前記第２の検出手段により検出された規定枠の短手方向及び長手方向のサイズに基づき、前記第４の検出手段により検出された残存異枠の長手方向の両端の間を３分割して、この残存異枠の中から３個の規定枠を検出する第５の検出手段と、
前記第５の検出手段で検出された３個の規定枠夫々の短手方向及び長手方向の射影を取り、この射影に基づき前記第５の検出手段で検出された３個の規定枠を確定する確定手段と、
を備えたことを特徴とする枠検出装置。
【請求項２】
７つの郵便番号枠を含む郵便番号枠郡の中から、同一サイズの規定枠を検出するとともに、この規定枠と異なるサイズの異枠を検出する第１のステップと、
前記第１のステップで検出された規定枠の短手方向及び長手方向のサイズを検出する第２のステップと、
前記第１のステップにより規定枠が３個検出され、異枠が１個検出されたとき、前記第２のステップで検出された規定枠の短手方向及び長手方向のサイズに基づき、前記第１のステップで検出された異枠の長手方向の一端から一つの規定枠を検出する第３のステップと、
前記第３のステップにより検出された一つの規定枠を前記異枠から切り離し、一つの規定枠が切り離された後に残った残存異枠の短手方向の射影を取り、この射影に基づき残存異枠の長手方向の両端を検出する第４のステップと、
前記第２のステップにより検出された規定枠の短手方向及び長手方向のサイズに基づき、前記第４のステップにより検出された残存異枠の長手方向の両端の間を３分割して、この残存異枠の中から３個の規定枠を検出する第５のステップと、
前記第５のステップで検出された３個の規定枠夫々の短手方向及び長手方向の射影を取り、この射影に基づき前記第５のステップで検出された３個の規定枠を確定する第６のステップと、
を備えたことを特徴とする枠検出方法。
【発明の詳細な説明】
【０００１】
【発明の属する技術分野】
この発明は、郵便物に記載された郵便番号枠を検出する枠検出装置及び枠検出方法に関する。
【０００２】
【従来の技術】
近年、郵便物は、宛名自動読取区分機により、区分されるようになっている。この宛名自動読取区分機は、区分機、ＯＣＲ（Optical Character Reader）、及びＶＣＳ（Video Coding System）を備えている。ＯＣＲは郵便物に記録された宛先を認識し、区分機がＯＣＲの認識結果に基づき郵便物を区分する。ＶＣＳはＯＣＲで認識されなかった郵便物の画像を表示するとともにこの郵便物の宛先情報の入力を受け付け、区分機がＶＣＳから入力された宛先情報に基づき郵便物を区分する。
【０００３】
上記したＯＣＲによる宛先認識では、郵便番号認識が行われている。この郵便番号認識では、まず、郵便番号枠の検出が行われ、続いて、郵便番号枠内に記載された郵便番号が認識されるようになっている。
【０００４】
【発明が解決しようとする課題】
ところが、新郵便番号制度の導入に伴って次のような問題が発生した。新郵便番号制度では、従来の５桁から７桁に郵便番号の桁数が増やされた。これにより、７つの郵便番号枠を含む新郵便番号枠郡が登場した。しかし、この新郵便番号枠郡に含まれる郵便番号枠は、桁数増加の影響から、枠同士が接触していることがあり、そのため、郵便番号枠の検出精度が落ち、結果的に、郵便番号の認識精度が低下した。黒色の郵便番号枠の場合、特に、この傾向が強くなる（黒枠は郵便番号と識別しずらいため）。
【０００５】
黒色の郵便番号枠を検出するアルゴリズムではまず、郵便番号が書かれている固定領域内でラベル検出を行う。このとき、規定サイズ（郵便番号枠サイズ）のラベルが規定数（５個もしくは７個）検出された場合には問題ないが、規定外のサイズのラベルが規定外の数だけ検出されたときには、枠同士が接触しているものと判断し、検出された規定外のサイズのラベルが所定数に分割される。このとき、郵便番号枠とこの枠内に記載された郵便番号が同じ色（黒色）であったり、枠内ギリギリに郵便番号が記載されていたりすると、郵便番号枠が正確に検出できなくなる。
【０００６】
この発明の目的は、上記したような事情に鑑み成されたものであって、郵便番号枠を正確に検出することが可能な枠検出装置及び枠検出方法を提供することにある。
【０００７】
【課題を解決するための手段】
上記課題を解決し目的を達成するために、この発明の枠検出装置及び枠検出方法は、以下のように構成されている。
【０００８】
この発明の枠検出装置は、複数の枠を含む枠郡の中から、同一サイズの規定枠を二つ以上検出するとともに、この規定枠と異なるサイズの異枠を検出する第１の検出手段と、前記第１の検出手段で検出された規定枠のサイズを検出する第２の検出手段と、前記第２の検出手段で検出された規定枠のサイズに基づき、前記第１の検出手段で検出された異枠の中から複数の規定枠を検出する第３の検出手段とを備えている。
【０００９】
この発明の枠検出装置は、７つの郵便番号枠を含む郵便番号枠郡の中から、同一サイズの規定枠を検出するとともに、この規定枠と異なるサイズの異枠を検出する第１の検出手段と、前記第１の検出手段で検出された規定枠のサイズを検出する第２の検出手段と、前記第１の検出手段により規定枠が３個検出され、異枠が１個検出されたとき、前記第２の検出手段で検出された規定枠のサイズ、及び前記第１の検出手段で検出された異枠の短手方向の射影に基づき、前記第１の検出手段で検出された異枠の中から４個の規定枠を検出する第３の検出手段とを備えている。
【００１０】
この発明の枠検出装置は、７つの郵便番号枠を含む郵便番号枠郡の中から、同一サイズの規定枠を検出するとともに、この規定枠と異なるサイズの異枠を検出する第１の検出手段と、前記第１の検出手段で検出された規定枠の短手方向及び長手方向のサイズを検出する第２の検出手段と、前記第１の検出手段により規定枠が３個検出され、異枠が１個検出されたとき、前記第２の検出手段で検出された規定枠の短手方向及び長手方向のサイズに基づき、前記第１の検出手段で検出された異枠の長手方向の一端から一つの規定枠を検出する第３の検出手段と、前記第３の検出手段により検出された一つの規定枠を前記異枠から切り離し、一つの規定枠が切り離された後に残った残存異枠の短手方向の射影を取り、この射影に基づき残存異枠の長手方向の両端を検出する第４の検出手段と、前記第２の検出手段により検出された規定枠の短手方向及び長手方向のサイズに基づき、前記第４の検出手段により検出された残存異枠の長手方向の両端の間を３分割して、この残存異枠の中から３個の規定枠を検出する第５の検出手段と、前記第５の検出手段で検出された３個の規定枠夫々の短手方向及び長手方向の射影を取り、この射影に基づき前記第５の検出手段で検出された３個の規定枠を確定する第６の確定手段とを備えている。
【００１１】
この発明の枠検出装置は、７つの郵便番号枠を含む郵便番号枠郡の中から、同一サイズの規定枠を検出するとともに、この規定枠と異なるサイズの異枠を検出する第１の検出手段と、前記第１の検出手段で検出された規定枠のサイズを検出する第２の検出手段と、前記第１の検出手段により規定枠が５個検出され、異枠が１個検出されたとき、前記第２の検出手段で検出された規定枠のサイズに基づき、前記第１の検出手段で検出された異枠の中から２個の規定枠を検出する第３の検出手段とを備えている。
【００１２】
この発明の枠検出装置は、７つの郵便番号枠を含む郵便番号枠郡の中から、同一サイズの規定枠を検出するとともに、この規定枠と異なるサイズの異枠を検出する第１の検出手段と、前記第１の検出手段で検出された規定枠の短手方向及び長手方向のサイズを検出する第２の検出手段と、前記第１の検出手段により規定枠が５個検出され、異枠が１個検出されたとき、前記第２の検出手段で検出された規定枠の短手方向及び長手方向のサイズに基づき、前記第１の検出手段で検出された異枠の長手方向の両端から２個の規定枠を検出する第３の検出手段と、前記第３の検出手段で検出された２個の規定枠夫々の短手方向及び長手方向の射影を取り、この射影に基づき前記第３の検出手段で検出された２個の規定枠を確定する第４の確定手段とを備えている。
【００１３】
この発明の枠検出方法は、複数の枠を含む枠郡の中から、同一サイズの規定枠を二つ以上検出するとともに、この規定枠と異なるサイズの異枠を検出する第１のステップと、前記第１のステップで検出された規定枠のサイズを検出する第２のステップと、前記第２のステップで検出された規定枠のサイズに基づき、前記第１のステップで検出された異枠の中から複数の規定枠を検出する第３のステップとを備えている。
【００１４】
この発明の枠検出方法は、７つの郵便番号枠を含む郵便番号枠郡の中から、同一サイズの規定枠を検出するとともに、この規定枠と異なるサイズの異枠を検出する第１のステップと、前記第１のステップで検出された規定枠の短手方向及び長手方向のサイズを検出する第２のステップと、前記第１のステップにより規定枠が３個検出され、異枠が１個検出されたとき、前記第２のステップで検出された規定枠の短手方向及び長手方向のサイズに基づき、前記第１のステップで検出された異枠の長手方向の一端から一つの規定枠を検出する第３のステップと、前記第３のステップにより検出された一つの規定枠を前記異枠から切り離し、一つの規定枠が切り離された後に残った残存異枠の短手方向の射影を取り、この射影に基づき残存異枠の長手方向の両端を検出する第４のステップと、前記第２のステップにより検出された規定枠の短手方向及び長手方向のサイズに基づき、前記第４のステップにより検出された残存異枠の長手方向の両端の間を３分割して、この残存異枠の中から３個の規定枠を検出する第５のステップと、前記第５のステップで検出された３個の規定枠夫々の短手方向及び長手方向の射影を取り、この射影に基づき前記第５のステップで検出された３個の規定枠を確定する第６のステップとを備えている。
【００１５】
この発明の枠枠検出方法は、７つの郵便番号枠を含む郵便番号枠郡の中から、同一サイズの規定枠を検出するとともに、この規定枠と異なるサイズの異枠を検出する第１のステップと、前記第１のステップで検出された規定枠の短手方向及び長手方向のサイズを検出する第２のステップと、前記第１のステップにより規定枠が５個検出され、異枠が１個検出されたとき、前記第２のステップで検出された規定枠の短手方向及び長手方向のサイズに基づき、前記第１のステップで検出された異枠の長手方向の両端から２個の規定枠を検出する第３のステップと、前記第３のステップで検出された２個の規定枠夫々の短手方向及び長手方向の射影を取り、この射影に基づき前記第３のステップで検出された２個の規定枠を確定する第４のステップとを備えている。
【００１６】
【発明の実施の形態】
以下、この発明の実施の形態について図面を参照して説明する。
【００１７】
図１は、郵便物処理装置の概略構成を示すブロック図である。
【００１８】
図１に示す郵便物処理装置は、郵便物の画像を読取り、この読取りにより得られる郵便物画像データから宛先情報を検出して宛先を認識し、宛先の認識結果に基づき郵便物を区分する。図１に示すように郵便物処理装置には、主制御部１、区分機２、画像読取部３、ＯＣＲ４、及びＶＣＳ５が設けられている。
【００１９】
主制御部１は、郵便物処理装置全体を制御する。区分機２は、郵便物を一枚ずつ画像読取部３に提供する。画像読取部３は、区分機２により提供される郵便物の画像を読取り、この読取りにより得られる郵便物画像データをＯＣＲ４に提供する。ＯＣＲ４は、画像読取部３により提供される郵便物画像データから宛先情報を検出して宛先を認識する。ＶＣＳ５には記憶部５ａが設けられており、この記憶部５ａにはオンラインＯＣＲ４から提供される郵便物画像データ及び宛先認識データが蓄積される。ＶＣＳ５は、記憶部５ａに蓄積された郵便物画像データ及び宛先認識データに基づき、ＯＣＲ４で認識されなかった郵便物に対するビデオコーディング処理を行う。ＶＣＳ５には、ディスプレイ５ｂ及びキーボード５ｃが設けられており、ディスプレイ５ｂには、ＯＣＲ４で認識されなかった郵便物（郵便物画像データ）が表示され、このディスプレイに表示された郵便物に対する宛先情報の入力がキーボード５ｃにより受け付けられる。キーボード５ｃを介しての宛先情報の入力は、オペレータにより行われる。
【００２０】
区分機２は、ＯＣＲ４により認識された宛先に基づき、この認識された宛先に対応する郵便物を区分するとともに、ＶＣＳ５のキーボード５ｃにより入力が受け付けられた宛先情報に基づき、この入力された宛先情報に対応する郵便物を区分する。
【００２１】
上記説明した郵便物処理装置では、例えば、郵便物に対してＩＤコード（バーコードなど）を記録して、このＩＤコードにより郵便物を管理するようになっている。つまり、一つの郵便物に関する郵便物画像データ及び宛先認識データにはＩＤコードが割り振られており、記憶部５ａにはＩＤコードとともに一つの郵便物に関する郵便物画像データ及び宛先認識データが蓄積される。そして、このＩＤコードにより、実際の郵便物との関連が保たれるようになっている。また、上記説明した郵便物処理装置では、郵便物に対してＯＣＲ４より認識された宛先を示す宛先コード（バーコードなど）、又はＶＣＳ５のキーボード５ｃにより受け付けられた宛先を示す宛先コード（バーコードなど）を記録して、この宛先コードにより郵便物を区分するようにもなっている。
【００２２】
続いて、ＯＣＲ４（枠検出装置）による宛先認識処理の中の郵便番号枠検出について説明する。
【００２３】
図２に示すように、ＯＣＲ４には、ラベリング処理部４１、枠検出部４２、サイズ検出部４３、第１の規定枠検出部４４、異枠両端検出部４５、第２の規定枠検出部４６、及び枠確定部４７が設けられている。これら各部の説明は、この後、順次行うものとする。
【００２４】
新郵便番号制度の導入に伴い、郵便番号が５桁から７桁に変更された。これにより、旧郵便番号枠郡（５桁の枠）よりも新郵便番号枠郡（７桁の枠）の方が一つの郵便番号枠の幅が狭い、もしくは郵便番号枠同士が接触しているケースが多く見られる。特に、黒色の新郵便番号枠郡において、上３桁とハイフンが接触している第１のケース、及び３桁目とハイフンと４桁目が接触している第２のケースを想定し、これら第１及び第２のケースにおける郵便番号枠の検出について説明する。図３は第１のケースを示し、図４は第２のケースを示す。なお、新郵便番号枠郡のフォーマットは、一般的に、上３桁が太枠で、下４桁が細枠である。つまり、下４桁の郵便番号枠の方が上３桁の郵便番号枠よりも接触する可能性が低い。この発明では、このことを利用して、郵便番号枠を検出する。
【００２５】
郵便番号枠郡は郵便物（書状）の右上部分に書かれているため、右上部分の固定領域内でラベリング処理部４１によりラベリング処理が行われる。このラベリング処理により検出されたラベル（枠）のサイズ及び位置関係から、検出されたラベルが規定枠（規定の郵便番号枠）に該当するかどうかが枠検出部４２によりチェックされる。チェックの際に、図９に示すように、枠座標を正確に検出するためにＸ、Ｙ方向の両端から射影を取り、所定のしきい値以上のものを規定枠として検出する。郵便番号枠郡の中から、規定枠に該当するラベルが５個（旧郵便番号枠、５桁）もしくは７個（新郵便番号枠、７桁）検出された場合には、郵便番号枠郡に含まれる郵便番号枠が全て検出されたものとして認識される。
【００２６】
ところが、上記した第１のケースでは、ラベルの位置座標とサイズから上３桁枠とハイフンと下４桁枠の１番左の枠が接触して１つのラベルとなり、枠らしきラベルは合計４つと認識される。つまり、枠検出部４２により、規定枠３つ、異枠１つが検出される。異枠とは、規定枠と異なるサイズの枠のことであり、この第１のケースでは、上３桁枠とハイフンと下４桁枠の１番左の枠が、一つの異枠として検出される。
【００２７】
ここで、下４桁枠を検出する際、図５に示すように、ラベル２、３、４の短手方向（Ｈ１）及び長手方向（Ｗ１）が規定枠の条件を満たし、３つのラベルのサイズがほぼ同じであることから、サイズ検出部４３によりＨ１、Ｗ１が検出される。
【００２８】
そして、ラベル１（異枠）の右上座標（長手方向の一端）からＨ１、Ｗ１を除くことにより、下４桁が検出される。つまり、ラベル１（異枠）の右上座標（長手方向の一端）から、第１の規定枠検出部４４により一つの規定枠が検出される。このとき、規定枠検出部４４により検出された規定枠は、図９に示すように、Ｘ、Ｙ方向の両端から射影を取り、所定のしきい値以上であることが確認される。
【００２９】
この時点で、下４桁枠が検出されており、第１の規定枠検出部４４により検出された一つの規定枠が異枠から切り離され、この切り離しの後に残った残存異枠は、上３桁枠とハイフンが接触したものであると予想される。このため、上３桁枠からハイフンが取り除かれる。なお、残存異枠とは、図６に示す状態の枠のことを指す。
【００３０】
ハイフンの除去は、次のようにして行われる。まず、図６に示す残存異枠（ラベル１）の短手方向（Ｙ方向）から射影を求め、所定のしきい値以上のものを上残存異枠（上３桁）の長手方向の両端として検出する。この検出は、異枠両端検出部４５により行われる。そして、上３桁枠のサイズは、夫々均等であることから、残存異枠（ハイフンを取り除いたラベル１）を３当分して、３つの規定枠を検出する。この検出は、第２の規定枠検出部４６により行われる。
【００３１】
３当分された枠（ラベル）が夫々真の規定枠であるかどうかをチェックする必要があり、図９に示すように、Ｘ、Ｙ方向の両端から射影を取り、真の規定枠であるかどうかが確定される。この確定処理は、枠確定部４７により行われる。
【００３２】
以上、枠確定部４７により規定枠が確定されると、７桁の郵便番号枠の検出が完了する。
【００３３】
次に、上記した第２のケースについて説明する。ラベリング処理部４１及び第１の枠検出部４２による処理の結果、第２のケースでは、ラベルの位置座標とサイズから３桁目の枠とハイフンと４桁目の枠が接触して１つのラベルとなり、枠らしきラベルは合計６つと認識される。つまり、枠検出部４２により、規定枠５つ、異枠１つが検出される。この第２のケースでは、３桁目の枠とハイフンと４桁目の枠が、一つの異枠として検出される。
【００３４】
ここで、枠検出部４２により検出された規定枠（図７に示すラベル１、２、４、５、６）が、チェックされる。つまり、図９に示すように、Ｘ、Ｙ方向の両端から射影を取り、枠が認識される。ラベル１、２、４、５、６については規定枠として検出され、サイズ検出部４３により、ラベル１及びラベル６の長手方向（Ｗ２、Ｗ３）と短手方向（Ｈ２、Ｈ３）が検出される。そして、異枠と予想されるラベル３の左端の上からはＷ２、Ｈ２、右端の上からはＷ３、Ｈ３が取り除かれる。つまり、異枠の長手方向の両端から、２個の規定枠が検出される。この検出は、第２の規定枠検出部４６により行われる。これにより、結果的に、ハイフンが除去される。第２の規定枠検出部４６により検出された２個の枠が、夫々規定枠であるかどうかチェックする必要があり、図９に示すようにＸ、Ｙ方向の両端から斜影を取り、規定枠であるかどうかが確定される。この確定処理は、枠確定部４７により行われる。
【００３５】
以上、枠確定部４７により規定枠が確定されると、７桁の郵便番号枠の検出が完了する。
【００３６】
図８に示すような接触したラベルの両端から射影を検出することにより、枠ぎりぎりに書かれた文字（郵便番号）、及び枠からはみ出した文字（郵便番号）も文字の縦を枠線と誤検出することはない。また、ラベルのサイズと位置関係から、どの枠が何個接触しているかが認識できるため、接触した黒枠についても正確に枠座標を検出することができる。
【００３７】
次に、図１０に示すフローチャートを参照して、この発明の枠検出処理の概要をまとめとして説明する。
【００３８】
図１０に示すように、まず、固定領域内画像のラベリング処理が行われる（ＳＴ１）。ラベルが５個（旧郵便番号枠、５桁）もしくは７個（新郵便番号枠、７桁）検出され（ＳＴ２、ＹＥＳ）、検出されたラベルが規定枠の条件を満たしている場合には（ＳＴ３、ＹＥＳ）、５桁又は７桁の枠検出処理が行われる（ＳＴ１４）。
【００３９】
ラベルが４個検出された場合には（ＳＴ２、ＮＯ）（ＳＴ４、ＹＥＳ）、図５に示すラベル２、３、４の短手方向（Ｗ１）及び長手方向（Ｈ１）が検出される（ＳＴ５）。図５に示すラベル１から、Ｗ１、Ｈ１が取り除かれる（ＳＴ６）。ＳＴ６で処理された後に残存する残存ラベル１の斜影から、上３桁枠の両端が検出される（ＳＴ７）。図６に示す残存ラベル１が、Ｗ１に基づき、３分割される（ＳＴ８）。分割されたラベルが規定枠の条件を満たしていれば（ＳＴ９、ＹＥＳ）、７桁の枠検出処理が行われる（ＳＴ１４）。
【００４０】
ラベルが６個検出された場合には（ＳＴ２、ＮＯ）（ＳＴ４、ＮＯ）（ＳＴ１０、ＹＥＳ）、図７に示すラベル１及びラベル６夫々の短手方向（Ｗ２、Ｗ３）及び長手方向（Ｈ２、Ｈ３）が検出される（ＳＴ１１）。図７に示すラベル３から、Ｗ２とＨ２、Ｗ３とＨ３が取り除かれる（ＳＴ１２）。ＳＴ１２で取り除かれた二つのラベルが規定枠の条件を満たしていれば（ＳＴ１３、ＹＥＳ）、７桁の枠検出処理が行われる（ＳＴ１４）。
【００４１】
【発明の効果】
この発明によれば、郵便番号枠を正確に検出することが可能な枠検出装置及び枠検出方法を提供できる。
【図面の簡単な説明】
【図１】郵便物処理装置の概略構成を示すブロック図である。
【図２】図１に示す郵便物処理装置のＯＣＲ（枠検出装置）の概略構成を示すブロック図である。
【図３】郵便番号枠郡において、上３桁とハイフンが接触している第１のケースを示す図である。
【図４】郵便番号枠郡において、３桁目とハイフンと４桁目が接触している第２のケースを示す図である。
【図５】図３に示す第１のケースにおいて、規定枠のサイズ（Ｗ１、Ｈ１）を検出する様子を示す図である。
【図６】ラベル１からハイフンを除去した様子を示すとともに、ハイフンが除去されたラベル１のＹ方向の斜影を示す図である。
【図７】図４に示す第２のケースにおいて、規定枠のサイズ（Ｗ２、Ｗ３、Ｈ２、Ｈ３）を検出する様子を示す図である。
【図８】郵便番号枠に対して文字（郵便番号）がギリギリに記載された様子を示すとともに、そのときのＹ方向の斜影を示す図である。
【図９】郵便番号枠のＸ方向及びＹ方向を示すとともに、郵便番号枠のＸ方向の斜影及びＹ方向の斜影を示す図である。
【図１０】枠検出処理を示すフローチャートである。
【符号の説明】
１…主制御部
２…区分機
３…画像読取部
４…オンラインＯＣＲ
５…ＶＣＳ
５ａ…記憶部
５ｂ…ディスプレイ
５ｃ…キーボード
４１…ラベリング処理部
４２…枠検出部
４３…サイズ検出部
４４…第１の規定枠検出部
４５…異枠両端検出部
４６…第２の規定枠検出部
４７…枠確定部
【図１】
0003930192.tif 000002
【図２】
0003930192.tif 000003
【図３】
0003930192.tif 000004
【図４】
0003930192.tif 000005
【図５】
0003930192.tif 000006
【図６】
0003930192.tif 000007
【図７】
0003930192.tif 000008
【図８】
0003930192.tif 000009
【図９】
0003930192.tif 000010
【図１０】
0003930192.tif 000011